(57)【要約】【課題】本発明は、所望の周波数帯域において広帯域化とアンテナ性能を向上させることのできるアンテナ装置及びこれを備える無線通信装置を提供する。【解決手段】本発明の一実施形態に係るアンテナ装置及びこれを備える無線通信装置は、地板と、前記地板の端部に配置されたアンテナエレメントと、前記地板と前記アンテナエレメントとの間に配置された給電部と、を備え、前記地板は、前記給電部からの給電により前記アンテナエレメントに流れるアンテナ電流を複数の方向及び複数の長さが異なる経路に流す複数の電流経路を有することを特徴とする。【選択図】図１
2012129890.tif 000002
【特許請求の範囲】
【請求項１】
地板と、
前記地板の端部に配置されたアンテナエレメントと、
前記地板と前記アンテナエレメントとの間に配置された給電部と、を備え、
前記地板は、前記給電部からの給電により前記アンテナエレメントに流れるアンテナ電流を複数の方向及び複数の長さが異なる経路に流す複数の電流経路を有することを特徴とするアンテナ装置。
【請求項２】
前記地板は、複数の形状の異なるパターンを組み合わせて前記複数の電流経路を形成することを特徴とする請求項１に記載のアンテナ装置。
【請求項３】
前記地板は、前記複数の形状の異なるパターンの一部を所定距離離隔して、前記複数の電流経路を形成することを特徴とする請求項２に記載のアンテナ装置。
【請求項４】
前記地板は、前記複数の形状の異なるパターンが多角形状のパターンを含むことを特徴とする請求項２又は３に記載のアンテナ装置。
【請求項５】
前記地板は、前記複数の形状の異なるパターンが曲線を含む形状のパターンを含むことを特徴とする請求項２乃至４の何れか一項に記載のアンテナ装置。
【請求項６】
前記アンテナエレメントは、折り返しＬ型アンテナであることを特徴とする請求項１乃至５の何れか一項に記載のアンテナ装置。
【請求項７】
請求項１乃至６の何れか一項に記載のアンテナ装置を備え、
筺体の内側面に前記アンテナエレメント及び前記地板が配置されることを特徴とする無線通信装置。
【発明の詳細な説明】
【技術分野】
【０００１】
本発明はアンテナ装置に係り、より詳細には無線通信装置に内蔵される小型のマルチバンドアンテナ装置に関する。
【背景技術】
【０００２】
近年、無線通信装置用の内蔵アンテナの開発が進められている。こうしたアンテナとしては例えば高速データ通信に適したＵＷＢ（Ｕｌｔｒａ  Ｗｉｄｅ  Ｂａｎｄ）専用の内蔵アンテナや、セルラー（ｃｅｌｌｕｌａｒ）用の内蔵アンテナなどが挙げられる。無線通信装置の小型化によって、内蔵アンテナにも小型化が求められているが、従来技術では、アンテナ装置の小型化の要求を満たしても、満足な電気性能を得られない場合があった。
【０００３】
そこで、無線通信装置用の内蔵アンテナには、アンテナエレメントの形状工夫や、給電部の回路をチューナブル（Ｔｕｎａｂｌｅ）化することにより、広帯域に動作するアンテナを実現しようとするものがある。例えば、線状及び平面形状のアンテナエレメントの形状工夫や地板との容量性結合により広帯域特性を実現させようとするもの（例えば、特許文献１参照。）がある。また、メアンダ形状のアンテナエレメントに実装されたスイッチ制御によって、マルチバンド（Ｍｕｌｔｉ−Ｂａｎｄ）化に対応させようとするものがある（例えば、特許文献２参照。）。
【先行技術文献】
【特許文献】
【０００４】
【特許文献１】特開２００８−２９５０９０号公報
【特許文献２】国際公開第０８／０８８４６３号パンフレット
【発明の概要】
【発明が解決しようとする課題】
【０００５】
近年、無線通信装置は、無線通信方式の多様化や国際ローミングに対応することへの要求が高まっており、無線通信方式として、例えば、ＧＳＭ８５０／９００は、０．８２４〜０．９６０ＧＨｚの周波数帯域に対応させる必要がある。しかし、特許文献１及び２に開示されたアンテナ装置では、これらの無線通信方式において広帯域で高性能に動作させることは難しい。
【０００６】
また、従来技術に係るアンテナ装置を複数の無線通信方式に広帯域に対応させる為には別途アンテナを搭載する必要があり、搭載スペースを確保できなければアンテナ装置の小型化の要求に対応できないという課題を有する。
【０００７】
本発明は、このような従来の構成が有していた問題を解決しようとするものであり、所望の周波数帯域を広帯域にカバーすることが可能なアンテナ装置及び無線通信装置を提供することを目的とする。
【課題を解決するための手段】
【０００８】
本発明の一実施形態に係るアンテナ装置は、地板と、前記地板の端部に配置されたアンテナエレメントと、前記地板と前記アンテナエレメントとの間に配置された給電部と、を備え、前記地板は、前記給電部からの給電により前記アンテナエレメントに流れるアンテナ電流を複数の方向及び複数の長さが異なる経路に流す複数の電流経路を有することを特徴とする。本発明の一実施形態に係るアンテナ装置によれば、所望の周波数帯域を広帯域にカバーすることができる。
【０００９】
また、本発明の一実施形態に係るアンテナ装置は、前記地板は、複数の形状の異なるパターンを組み合わせて前記複数の電流経路を形成してもよい。本発明の一実施形態に係るアンテナ装置によれば、アンテナ電流を流す電流経路を多様化することができる。
【００１０】
また、本発明の一実施形態に係るアンテナ装置は、前記地板は、前記複数の形状の異なるパターンの一部を所定距離離隔して、前記複数の電流経路を形成してもよい。本発明の一実施形態に係るアンテナ装置によれば、アンテナ電流を流す電流経路を多様化することができる。
【００１１】
また、本発明の一実施形態に係るアンテナ装置は、前記地板は、前記複数の形状の異なるパターンが多角形状のパターンを含んでもよい。本発明の一実施形態に係るアンテナ装置によれば、アンテナ電流を流す電流経路を多様化することができる。
【００１２】
また、本発明の一実施形態に係るアンテナ装置は、前記地板は、前記複数の形状の異なるパターンが曲線を含む形状のパターンを含んでもよい。本発明の一実施形態に係るアンテナ装置によれば、アンテナ電流を流す電流経路を多様化することができる。
【００１３】
また、本発明の一実施形態に係るアンテナ装置は、前記アンテナエレメントは、折り返しＬ型アンテナであってもよい。本発明の一実施形態に係るアンテナ装置によれば、アンテナ形状を変更することなく、アンテナ特性の広帯域化を図ることができる。
【００１４】
また、本発明の一実施形態に係る無線通信装置は、前記アンテナ装置を備え、筺体の内側面に前記アンテナエレメント及び前記地板が配置されることを特徴とする。本発明の一実施形態に係る無線通信装置によれば、所望の周波数帯域を広帯域にカバーすることができる。
【発明の効果】
【００１５】
上述のように、本発明の一実施形態に係るアンテナ装置およびこれを備える無線通信装置によれば、地板の形状を工夫することにより広帯域化とアンテナ性能の向上を実現させることができる。
【図面の簡単な説明】
【００１６】
【図１】本発明の第１の実施形態に係るアンテナ装置の概略構成を示す図であり、（ａ）は、アンテナ装置の概略構成を示す図であり、（ｂ）は、（ａ）に示したアンテナ装置に同軸ケーブルを用いて給電した場合の同軸ケーブルを等価回路で示す図である。
【図２】本発明の第１の実施形態に係るアンテナ装置の概略構成を示す図であり、（ａ）は、アンテナ装置の概略構成を示す斜視図であり、（ｂ）は、アンテナ装置の概略構成を示す平面図である。
【図３】図２に示したアンテナ装置の特性を説明するための図であり、（ａ）は、図２に示したアンテナ装置の地板の電流分布を示す図であり、（ｂ）は、図２に示したアンテナ装置のＶＳＷＲ特性を示すグラフである。
【図４】本発明の第２の実施形態に係るアンテナ装置の概略構成を示す図であり、（ａ）は、アンテナ装置の概略構成を示す斜視図であり、（ｂ）は、アンテナ装置の概略構成を示す平面図である。
【図５】図４に示したアンテナ装置の特性を説明するための図であり、（ａ）は、図４に示したアンテナ装置の地板の電流分布を示す図であり、（ｂ）は、図４に示したアンテナ装置のＶＳＷＲ特性を示すグラフである。
【図６】本発明の第３の実施形態に係るアンテナ装置の概略構成を示す図であり、（ａ）は、アンテナ装置の概略構成を示す斜視図であり、（ｂ）は、アンテナ装置の概略構成を示す平面図である。
【図７】図６に示したアンテナ装置の特性を説明するための図であり、（ａ）は、図６に示したアンテナ装置の地板の電流分布を示す図であり、（ｂ）は、図６に示したアンテナ装置のＶＳＷＲ特性を示すグラフである。
【図８】本発明の第４の実施形態に係るアンテナ装置の概略構成を示す図であり、（ａ）は、アンテナ装置の概略構成を示す斜視図であり、（ｂ）は、アンテナ装置の概略構成を示す平面図である。
【図９】図８に示したアンテナ装置の特性を説明するための図であり、（ａ）は、図６に示したアンテナ装置の地板の電流分布を示す図であり、（ｂ）は、図６に示したアンテナ装置のＶＳＷＲ特性を示すグラフである。
【図１０】本発明の第５の実施形態に係るアンテナ装置の概略構成を示す図であり、（ａ）は、アンテナ装置の概略構成を示す斜視図であり、（ｂ）は、アンテナ装置の概略構成を示す平面図である。
【図１１】図１０に示したアンテナ装置の特性を説明するための図であり、（ａ）は、図６に示したアンテナ装置の地板の電流分布を示す図であり、（ｂ）は、図６に示したアンテナ装置のＶＳＷＲ特性を示すグラフである。
【図１２】本発明の第６の実施形態に係るアンテナ装置の概略構成を示す図であり、（ａ）は、アンテナ装置の概略構成を示す斜視図であり、（ｂ）は、アンテナ装置の概略構成を示す平面図である。
【図１３】図１２に示したアンテナ装置の特性を説明するための図であり、（ａ）は、図６に示したアンテナ装置の地板の電流分布を示す図であり、（ｂ）は、図６に示したアンテナ装置のＶＳＷＲ特性を示すグラフである。
【図１４】本発明に係るアンテナ装置及び従来のアンテナ装置のＶＳＷＲ特性を示すグラフである。
【図１５】従来のアンテナ装置の一例を示す図であり、（ａ）は、従来のアンテナ装置を示す外観斜視図であり、（ｂ）は、（ａ）に示したアンテナ装置のＶＳＷＲ特性を示したグラフである。
【図１６】従来のアンテナ装置の他の一例を示す図であり、（ａ）は、従来のアンテナ装置を示す外観斜視図であり、（ｂ）は、（ａ）に示したアンテナ装置のＶＳＷＲ特性を示したグラフである。
【図１７】図１５に示したアンテナ装置の地板の電流分布を示した図である。
【発明を実施するための形態】
【００１７】
以下、本発明の実施形態について図を参照して説明する。なお、本発明は以下の実施形態に限定されるものではなく、その要旨を逸脱しない範囲において種々なる態様で実施することができる。
【００１８】
（本発明に至る経緯）
無線通信装置用の内蔵アンテナを設計するにあたり、通常は使用周波数帯域、アンテナ体積、アンテナ搭載位置、地板（ＧＮＤ−Ｐｌａｎｅ）サイズ等の様々な条件を考慮する必要がある。以下、本発明の実施形態に係るアンテナ装置に至る経緯として、現行セルラーバンドであるＧＳＭ８５０／９００の周波数帯（０．８２４〜０．８９４ＧＨｚ、０．８８〜０．９６ＧＨｚ）を想定し、中心周波数が約８５０ＭＨｚとなるように設計した従来のシングルバンドアンテナの構成及び特性について、図１５〜図１７を参照して説明する。
【００１９】
図１５は、従来のアンテナ装置の一例を示す図であり、（ａ）は、従来のアンテナ装置１０を示す外観斜視図であり、（ｂ）は、（ａ）に示したアンテナ装置のＶＳＷＲ（Ｖｏｌｔａｇｅ  Ｓｔａｎｄｉｎｇ  Ｗａｖｅ  Ｒａｔｉｏ）特性を示したグラフである。図１６は、従来のアンテナ装置の他の一例を示す図であり、（ａ）は、従来のアンテナ装置２０を示す外観斜視図であり、（ｂ）は、（ａ）に示したアンテナ装置２０のＶＳＷＲ特性を示したグラフである。図１７は、図１５に示した従来のアンテナ装置１０の地板１４の電流分布を示した図である。
【００２０】
図１５（ａ）を参照すると、従来のアンテナ装置の一例であるアンテナ装置１０は、アンテナエレメント１１と、誘電体１２と、給電部１３と、地板１４とを含む。アンテナ装置１０は、アンテナエレメント１１を１／４λ電気長のＬ型アンテナとして設計したシミュレーションモデルである。アンテナ部１６は、アンテナエレメント１１と、誘電体１２と、給電部１３とを含む。アンテナ部１６のサイズは、長さ５０ｍｍ、幅１０ｍｍ、高さ４ｍｍの薄板状であり、体積は２ｃｃである。地板１４は、セルラー用携帯端末に搭載される一般的なサイズである５０ｍｍ×１００ｍｍの薄膜状のものとした。アンテナ部１６は、地板１４の長手方向の端部に設置した。誘電体１２は、一般的な内蔵アンテナで用いることの多いＡＢＳ（アクリロニトリル・ブタジエン・スチレン）樹脂を用いることとした。
【００２１】
図１６（ａ）に、アンテナ装置１０とは異なる他の従来例としてアンテナ装置２０を示す。アンテナ装置２０は、アンテナエレメント２１と、誘電体２２と、給電部２３と、地板２４とを含む。アンテナエレメント２１は、メアンダ形状を有する折り返しＬ型アンテナ２１ａを含む。アンテナ装置２０は、図１５（ａ）に示した従来のアンテナ装置１０と同様に、アンテナエレメント２１を１／４λ電気長のＬ型アンテナとして設計したシミュレーションモデルである。アンテナ部２６は、アンテナエレメント２１、誘電体２２、及び給電部２３を含む。アンテナ部２６のサイズは、長さ５０ｍｍ、幅１０ｍｍ、高さ０．３５ｍｍの薄板状である。地板１４は、セルラー用携帯端末に搭載される一般的なサイズである５０ｍｍ×１００ｍｍの薄膜状のものとした。アンテナ部２６は、地板２４の長手方向の端部に設置した。誘電体２２は、ポリイミド（ｐｏｌｙｉｍｉｄｅ）を用いることとした。
【００２２】
従来のアンテナ装置１０、２０は、いずれも、ＧＳＭ８５０／９００の周波数帯（０．８２４〜０．８９４ＧＨｚ、０．８８〜０．９６ＧＨｚ）を想定し、中心周波数が約８５０ＭＨｚとなるように設計したものである。アンテナ装置１０、２０のＶＳＷＲ特性をシミュレーションにより解析したところ、図１５（ｂ）及び図１６（ｂ）に示したグラフの結果を得た。
【００２３】
図１５（ｂ）及び図１６（ｂ）を参照すると、従来のアンテナ装置１０、２０は、一般的に無線通信装置用アンテナとして望ましいＶＳＷＲ＜３の仕様を満足しておらず、セルラー用途としては良好な性能を得られないことがわかる。これは、アンテナ装置１０、２０の小型化を実現するために、インピーダンスの悪化やＱ値の上昇による狭帯域化現象の特性劣化が発生し性能が劣化しているためである。
【００２４】
このような従来のアンテナ装置１０、２０のシミュレーション結果に基づき、本発明者は、図１５に図示した地板１４以外にも積極的にアンテナ電流を流してアンテナとして動作させることにより、広帯域化と、性能を向上させることのできるアンテナ装置を考察した。地板の大きさは変えることなく、別途設計した地板形状の工夫によって良好な性能を得ることができれば、アンテナ装置を小型化できるためである。
【００２５】
図１７は、従来のアンテナ装置１０を動作させたときの地板１４の電流分布について、電磁界シミュレーションを用いて中心周波数で解析した結果を示したものである。図１７に図示したように、従来のアンテナ装置１０における地板１４の電流は、単一方向の電流経路をとることがわかる。
【００２６】
このシミュレーション結果から、従来のアンテナ装置１０、２０は、地板１４、２４が矩形状を有していることから、地板１４、２４における電流経路が単一方向であり、経路長も複数の長さをとれないことがわかる。そこで、本発明者は、地板形状を工夫することにより、広帯域化と性能を向上させることのできるアンテナ装置を考察し、以下に示す本発明の実施形態に係るアンテナ装置に至った。
【００２７】
（第１の実施形態）
以下、図１〜図３を参照して、本発明の第１の実施形態に係るアンテナ装置１００について、説明する。
【００２８】
図１は、本発明の第１の実施形態に係るアンテナ装置１００の概略構成を示す図であり、（ａ）は、アンテナ装置１００の概略構成を示し、（ｂ）は、（ａ）に示したアンテナ装置１００における地板１０５から同軸ケーブル１０７ｂを用いてアンテナエレメント１０１に給電した場合の同軸ケーブル１０７ｂを等価回路で示す図である。図２は、本発明の第１の実施形態に係るアンテナ装置１００の概略構成を示す図であり、（ａ）は、アンテナ装置１００の概略構成を示す斜視図であり、（ｂ）は、アンテナ装置１００の概略構成を示す平面図である。図３は、図２に示したアンテナ装置１００の特性を説明するための図であり、（ａ）は、アンテナ装置１００の地板１０４の電流分布を示す図であり、（ｂ）は、アンテナ装置１００のＶＳＷＲ特性を示すグラフである。
【００２９】
図１（ａ）を参照すると、本発明の第１の実施形態に係るアンテナ装置１００は、アンテナエレメント１０１と、給電部１０３と、地板１０４とを含む。給電部１０３は、アンテナエレメント１０１と地板１０４との間に配置される。地板１０４は、電子回路基板１０５に接続されて接地される。電子回路基板１０５と、地板１０４とは、接続線１０７ｂを介して接続点１０７ａにおいて接続される。接続点１０７ａの位置は、地板１０４の形状やサイズ等の諸条件によって任意に設計され得る。
【００３０】
図１（ａ）に示したように、アンテナエレメント１０１、給電部１０３、及び地板１０４は、筺体１０２の内側面に配置される。筺体１０２は、誘電体であり、例えば、ストレート式の携帯通信端末のケースの一部であってもよい。ストレート式の携帯通信端末のケースであれば、折りたたみ式の携帯通信端末と比べ、より大きな平面部分を有していることから、例えば、ケースの裏蓋である筺体１０２の内側面に地板１０４を配置することにより、筺体１０２と電子回路基板１０５との間に形成される小さなスペースであっても、地板１０４を薄膜状にすることにより、地板１０４を配置する面積をより大きくすることができる。筺体１０２の平面部分に沿って地板１０４を配置することにより、アンテナ装置１００の小型化を実現し易くなる。
【００３１】
図１（ｂ）には、図１（ａ）に示したアンテナ装置１００へ同軸ケーブル１０７ｂで給電した場合の等価回路を示す。図示したように、同軸ケーブル１０７ｂは、コイルＬと、抵抗Ｒと、キャパシタＣとを含む等価回路として表すことができる。キャパシタＣは、接続線１０７ｂとの間の浮遊容量である。
【００３２】
図２を参照して、本発明の第１の実施形態に係るアンテナ装置１００の構成について詳述する。
【００３３】
図２（ａ）及び（ｂ）に図示したように、アンテナ装置１００において、アンテナエレメント１０１、給電部１０３、及び地板１０４は、携帯通信端末のケースの一部である筺体１０２の内側面に配置される。給電部１０３は、アンテナエレメント１０１と地板１０４との間に配置される。アンテナエレメント１０１は、地板１０４の長手方向の端部に配置される。アンテナエレメント１０１は、１／４λ電気長のＬ型アンテナである。
【００３４】
地板１０４は、図２（ｂ）において点線で区切って図示したように、形状の異なる複数のパターンＬ１〜Ｌ５を組み合わせたような形状を有する。地板１０４の外形は、図２（ｂ）に図示したように、従来のアンテナ装置１０、２０における地板１４、２４と同じサイズである縦の長さａ２＝１００ｍｍ、横の長さａ３＝５０ｍｍの矩形状であり、切欠部ｋ１〜ｋ５を含む。切欠部ｋ１〜ｋ５は、図示したように、形状の異なる複数の矩形状を組み合わせた形状であってもよい。切欠部ｋ１〜ｋ５は、それぞれ所定の距離だけ離隔して形成されることにより、矩形状を含む形状の複数のパターンＬ１〜Ｌ５が形成される。地板１０４は、図２（ａ）に図示したように、切欠部ｋ１〜ｋ４が地板１０４の辺部に接して形成されることにより、複数のパターンＬ１〜Ｌ５の一部が所定の距離ｄ１〜ｄ４で離隔される。
【００３５】
図２（ｂ）に図示したように、アンテナエレメント１０１の幅ａ１＝１０ｍｍである。従って、本発明の第１の実施形態に係るアンテナ装置１００は、上述した従来のアンテナ装置１０、２０が配置される面積と同じ面積（１１０ｍｍ×５０ｍｍ）内に形成することが可能である。
【００３６】
アンテナエレメント１０１及び地板１０４は、それぞれ金属材料を用いて、ＭＩＤ（Ｍｏｌｄｅｄ  Ｉｎｔｅｒｃｏｎｎｅｃｔ  Ｄｅｖｉｃｅ）技術により形成するか、あるいは薄い板金を一体成型して筺体１０２の表面上に形成してもよい。また、片面に粘着剤を有するフレキシブル基板でアンテナエレメント１０１及び地板１０４を形成し、筺体１０２に貼り付けてもよい。アンテナエレメント１０１及び地板１０４の厚みは、数十〜数百μｍ程度のものとする。筺体１０２の材料としては、ＡＢＳ（アクリロニトリル・ブタジエン・スチレン）樹脂を用いて形成してもよい。
【００３７】
図３を参照して、本発明の第１の実施形態に係るアンテナ装置１００の特性について詳述する。
【００３８】
図３（ａ）は、アンテナ装置１００を動作させたときの地板１０４の電流分布について、電磁界シミュレーションを用いて中心周波数で解析した結果を示したものである。図３（ａ）に図示したように、アンテナ装置１００における地板１０４の電流経路は、複数の方向に、複数の長さの異なる電流経路をとることができる。
【００３９】
図３（ａ）に示したように、地板１０４は、複数の切欠部ｋ１〜ｋ５（図２参照）を有するように構成することにより、切欠部ｋ１〜ｋ４を挟んで両側の地板１０４間に発生する電磁界結合を調整することができ、アンテナエレメント１０１と近接する位置に形成された切欠部ｋ５によれば、地板１０４とアンテナエレメント１０１との間の距離を調整して、地板１０４とアンテナエレメント１０１間に生じるインピーダンスを調整することができる。また、地板１０４は、切欠部ｋ１〜ｋ４により上述した複数のパターンＬ１〜Ｌ５の一部が所定の距離ｄ１〜ｄ４（図２参照）だけ離隔されることにより、地板１０４に形成される電流経路がループを形成しないように構成することができる。地板１０４は、このような構成を含むことにより、アンテナ電流を流してアンテナとして動作させた場合に、アンテナ電流を流す電流経路を多様化し、地板１０４に複数の方向及び長さの異なる電流経路を生じさせることが可能となる。
【００４０】
図３（ｂ）は、アンテナ装置１００のＶＳＷＲ特性をシミュレーションにより解析した結果を示す。図３（ｂ）を参照すると、現行セルラーバンドであるＧＳＭ８５０／９００の周波数帯（０．８２４〜０．８９４ＧＨｚ、０．８８〜０．９６ＧＨｚ）において、一般的に無線通信装置用アンテナとして望ましいＶＳＷＲ＜３の仕様を満足していることがわかる。図３（ｂ）に示したアンテナ装置１００のＶＳＷＲ特性と、図１７に示した従来のアンテナ装置１０のＶＳＷＲ特性とを比較すると、ＶＳＷＲ＜３の仕様を満足する帯域が広帯域化していることがわかる。
【００４１】
従って、本発明の第１の実施形態に係るアンテナ装置１００は、地板１０４を複数の方向及び長さの異なる電流経路を有する形状に形成することにより、多共振モードを発生させることが可能となり、アンテナ装置１００の構造を大きくすることなく、従来のアンテナ装置１０、２０よりもＶＳＷＲ＜３の仕様を満足する帯域を広帯域化することが可能となる。
【００４２】
（第２の実施形態）
次に、図４及び図５を参照して、本発明の第２の実施形態に係るアンテナ装置２００の構成について詳述する。
【００４３】
図４は、本発明の第２の実施形態に係るアンテナ装置２００の概略構成を示す図であり、（ａ）は、アンテナ装置２００の概略構成を示す斜視図であり、（ｂ）は、アンテナ装置２００の概略構成を示す平面図である。図５は、図４に示したアンテナ装置２００の特性を説明するための図であり、（ａ）は、図４に示したアンテナ装置２００の地板２０４の電流分布を示す図であり、（ｂ）は、図４に示したアンテナ装置２００のＶＳＷＲ特性を示すグラフである。
【００４４】
図４に図示したように、アンテナ装置２００は、アンテナエレメント２０１、給電部２０３、及び地板２０４を含む。アンテナエレメント２０１、給電部２０３、及び地板２０４は、図示したように、携帯通信端末のケースの一部である筺体２０２の内側面に配置される。アンテナエレメント２０１は、１／４λ電気長の折り返しＬ型アンテナである。以下、本発明の第２の実施形態に係るアンテナ装置２００について、第１の実施形態に係るアンテナ装置１００と同様の構成については、詳細な説明を省略する。
【００４５】
地板２０４は、図４（ｂ）において点線で区切って図示したように、形状の異なる複数のパターンＬ６〜Ｌ１２を組み合わせたような形状を有する。地板２０４の外形は、図４（ｂ）に図示したように、従来のアンテナ装置１０、２０における地板１４、２４と同じサイズである縦の長さａ２＝１００ｍｍ、横の長さａ３＝５０ｍｍの矩形状であり、切欠部ｋ６〜ｋ１１を含む。切欠部ｋ６〜ｋ１１は、図示したように、形状の異なる複数の矩形状を組み合わせた形状や、形状の異なる複数の三角形状や、これらの形状を組み合わせた形状であってもよい。切欠部ｋ６〜ｋ１１は、それぞれ所定の距離だけ離隔して形成されることにより、多角形状を含む形状の複数のパターンＬ６〜Ｌ１２が形成される。地板２０４は、図４（ａ）に図示したように、切欠部ｋ６、ｋ８が地板２０４の辺部に接して形成されることにより、複数のパターンＬ６〜Ｌ１２の一部が所定の距離ｄ５、ｄ６で離隔される。
【００４６】
図４（ｂ）に図示したように、アンテナエレメント２０１の幅ａ１＝１０ｍｍである。従って、本発明の第２の実施形態に係るアンテナ装置２００は、上述した従来のアンテナ装置１０、２０が配置される面積と同じ面積（１１０ｍｍ×５０ｍｍ）内に形成することが可能である。
【００４７】
図５を参照して、本発明の第２の実施形態に係るアンテナ装置２００の特性について詳述する。
【００４８】
図５（ａ）は、アンテナ装置２００を動作させたときの地板２０４の電流分布について、電磁界シミュレーションを用いて中心周波数で解析した結果を示したものである。図５（ａ）に図示したように、アンテナ装置２００における地板２０４の電流経路は、複数の方向に、複数の長さの異なる電流経路をとることができる。
【００４９】
図５（ａ）に示したように、地板２０４は、複数の切欠部ｋ６〜ｋ１１（図４参照）を有するように構成することにより、切欠部ｋ６〜ｋ１０を挟んで両側の地板２０４間に発生する電磁界結合を調整することができ、アンテナエレメント２０１と近接する位置に形成された切欠部ｋ１１によれば、地板２０４とアンテナエレメント２０１との間の距離を調整して、地板２０４とアンテナエレメント２０１間に生じるインピーダンスを調整することができる。また、地板２０４は、切欠部ｋ６、ｋ８により上述した複数のパターンＬ６〜Ｌ１２の一部が所定の距離ｄ５、ｄ６（図４参照）だけ離隔されることにより、地板２０４に形成される電流経路がループを形成しないように構成することができる。地板２０４は、このような構成を含むことにより、アンテナ電流を流してアンテナとして動作させた場合に、地板１０４に複数の方向及び長さの異なる電流経路を生じさせることが可能となる。
【００５０】
図５（ｂ）は、アンテナ装置２００のＶＳＷＲ特性をシミュレーションにより解析した結果を示す。図５（ｂ）を参照すると、現行セルラーバンドであるＧＳＭ８５０／９００の周波数帯（０．８２４〜０．８９４ＧＨｚ、０．８８〜０．９６ＧＨｚ）において、一般的に無線通信装置用アンテナとして望ましいＶＳＷＲ＜３の仕様を満足していることがわかる。図５（ｂ）に示したアンテナ装置２００のＶＳＷＲ特性と、図１７に示した従来のアンテナ装置１０のＶＳＷＲ特性とを比較すると、ＶＳＷＲ＜３の仕様を満足する帯域が広帯域化していることがわかる。
【００５１】
従って、本発明の第２の実施形態に係るアンテナ装置２００は、地板２０４を複数の方向及び長さの異なる電流経路を有する形状に形成することにより、多共振モードを発生させることが可能となり、アンテナ装置２００の構造を大きくすることなく、従来のアンテナ装置１０、２０よりもＶＳＷＲ＜３の仕様を満足する帯域を広帯域化することが可能となる。
【００５２】
（第３の実施形態）
次に、図６及び図７を参照して、本発明の第３の実施形態に係るアンテナ装置３００の構成について詳述する。
【００５３】
図６は、本発明の第３の実施形態に係るアンテナ装置３００の概略構成を示す図であり、（ａ）は、アンテナ装置３００の概略構成を示す斜視図であり、（ｂ）は、アンテナ装置３００の概略構成を示す平面図である。図７は、図６に示したアンテナ装置３００の特性を説明するための図であり、（ａ）は、図６に示したアンテナ装置３００の地板３０４の電流分布を示す図であり、（ｂ）は、図６に示したアンテナ装置３００のＶＳＷＲ特性を示すグラフである。
【００５４】
図６に図示したように、アンテナ装置３００は、アンテナエレメント３０１、給電部３０３、及び地板３０４を含む。アンテナエレメント３０１、給電部３０３、及び地板３０４は、図示したように、携帯通信端末のケースの一部である筺体３０２の内側面に配置される。アンテナエレメント３０１は、１／４λ電気長の折り返しＬ型アンテナである。以下、本発明の第３の実施形態に係るアンテナ装置３００について、第１の実施形態に係るアンテナ装置１００と同様の構成については、詳細な説明を省略する。
【００５５】
地板３０４は、図６（ｂ）において点線で区切って図示したように、形状の異なる複数のパターンＬ１３〜Ｌ１７を、組み合わせたような形状を有する。地板３０４の外形は、図６（ｂ）に図示したように、従来のアンテナ装置１０、２０における地板１４、２４と同じサイズである縦の長さａ２＝１００ｍｍ、横の長さａ３＝５０ｍｍの矩形状であり、切欠部ｋ１２〜ｋ１６を含む。切欠部ｋ１２〜ｋ１６は、図示したように、形状の異なる複数の矩形状や、これらを組み合わせたような形状であってもよい。切欠部ｋ１２〜ｋ１６は、それぞれ所定の距離だけ離隔して形成されることにより、矩形状を含む形状の複数のパターンＬ１３〜Ｌ１７が形成される。地板３０４は、図６（ａ）に図示したように、切欠部ｋ１２、ｋ１３が地板３０４の辺部に接して形成されることにより、複数のパターンＬ１３〜Ｌ１７の一部が所定の距離ｄ７、ｄ８で離隔される。
【００５６】
図６（ｂ）に図示したように、アンテナエレメント３０１の幅ａ１＝１０ｍｍである。従って、本発明の第３の実施形態に係るアンテナ装置３００は、上述した従来のアンテナ装置１０、２０が配置される面積と同じ面積（１１０ｍｍ×５０ｍｍ）内に形成することが可能である。
【００５７】
図７を参照して、本発明の第３の実施形態に係るアンテナ装置３００の特性について詳述する。
【００５８】
図７（ａ）は、アンテナ装置３００を動作させたときの地板３０４の電流分布について、電磁界シミュレーションを用いて中心周波数で解析した結果を示したものである。図７（ａ）に図示したように、アンテナ装置３００における地板３０４の電流経路は、複数の方向に、複数の長さの異なる電流経路をとることができる。
【００５９】
図７（ａ）に示したように、地板３０４は、複数の切欠部ｋ１２〜ｋ１６（図６参照）を有するように構成することにより、切欠部ｋ１２〜ｋ１５を挟んで両側の地板３０４間に発生する電磁界結合を調整することができ、アンテナエレメント３０１と近接する位置に形成された切欠部ｋ１６によれば、地板３０４とアンテナエレメント３０１との間の距離を調整して、地板３０４とアンテナエレメント３０１間に生じるインピーダンスを調整することができる。また、地板３０４は、切欠部ｋ１２、ｋ１３により上述した複数のパターンＬ１３〜Ｌ１７の一部が所定の距離ｄ７、ｄ８（図６参照）だけ離隔されることにより、地板３０４に形成される電流経路の一部がループを形成しないように構成することができる。地板３０４は、このような構成を含むことにより、アンテナ電流を流してアンテナとして動作させた場合に、地板３０４に複数の方向及び長さの異なる電流経路を生じさせることが可能となる。
【００６０】
図７（ｂ）は、アンテナ装置３００のＶＳＷＲ特性をシミュレーションにより解析した結果を示す。図７（ｂ）を参照すると、現行セルラーバンドであるＧＳＭ８５０／９００の周波数帯（０．８２４〜０．８９４ＧＨｚ、０．８８〜０．９６ＧＨｚ）において、一般的に無線通信装置用アンテナとして望ましいＶＳＷＲ＜３の仕様を満足していることがわかる。図７（ｂ）に示したアンテナ装置３００のＶＳＷＲ特性と、図１７に示した従来のアンテナ装置１０のＶＳＷＲ特性とを比較すると、ＶＳＷＲ＜３の仕様を満足する帯域が広帯域化していることがわかる。
【００６１】
従って、本発明の第３の実施形態に係るアンテナ装置３００は、地板３０４を複数の長さの異なる電流経路を有する形状に形成することにより、多共振モードを発生させることが可能となり、アンテナ装置３００の構造を大きくすることなく、従来のアンテナ装置１０、２０よりもＶＳＷＲ＜３の仕様を満足する帯域を広帯域化することが可能となる。
【００６２】
（第４の実施形態）
次に、図８及び図９を参照して、本発明の第４の実施形態に係るアンテナ装置４００の構成について詳述する。
【００６３】
図８は、本発明の第４の実施形態に係るアンテナ装置４００の概略構成を示す図であり、（ａ）は、アンテナ装置４００の概略構成を示す斜視図であり、（ｂ）は、アンテナ装置４００の概略構成を示す平面図である。図９は、図８に示したアンテナ装置４００の特性を説明するための図であり、（ａ）は、図８に示したアンテナ装置４００の地板４０４の電流分布を示す図であり、（ｂ）は、図８に示したアンテナ装置４００のＶＳＷＲ特性を示すグラフである。
【００６４】
図８に図示したように、アンテナ装置４００は、アンテナエレメント４０１、給電部４０３、及び地板４０４を含む。アンテナエレメント４０１、給電部４０３、及び地板４０４は、図示したように、携帯通信端末のケースの一部である筺体４０２の内側面に配置される。アンテナエレメント４０１は、１／４λ電気長の折り返しＬ型アンテナである。以下、本発明の第４の実施形態に係るアンテナ装置４００について、第１の実施形態に係るアンテナ装置１００と同様の構成については、詳細な説明を省略する。
【００６５】
地板４０４は、図８（ｂ）において点線で区切って図示したように、形状の異なる複数のパターンＬ１８〜Ｌ２０を組み合わせたような形状を有する。地板４０４の外形は、図８（ｂ）に図示したように、従来のアンテナ装置１０、２０における地板１４、２４と同じサイズである縦の長さａ２＝１００ｍｍ、横の長さａ３＝５０ｍｍの矩形状であり、切欠部ｋ１７、ｋ１８を含む。切欠部ｋ１７、ｋ１８は、図示したように、矩形状や曲線を含む形状であってもよい。切欠部ｋ１７、ｋ１８は、それぞれ所定の距離だけ離隔して形成されることにより、矩形状や曲線を含む形状を含んだ形状の複数のパターンＬ１８〜Ｌ２０が形成される。地板４０４は、図８（ａ）に図示したように、切欠部ｋ１７が地板４０４の辺部に接して形成されることにより、複数のパターンＬ１８〜Ｌ２０の一部が所定の距離ｄ９で離隔される。
【００６６】
図８（ｂ）に図示したように、アンテナエレメント４０１の幅ａ１＝１０ｍｍである。従って、本発明の第４の実施形態に係るアンテナ装置４００は、上述した従来のアンテナ装置１０、２０が配置される面積と同じ面積（１１０ｍｍ×５０ｍｍ）内に形成することが可能である。
【００６７】
図９を参照して、本発明の第４の実施形態に係るアンテナ装置４００の特性について詳述する。
【００６８】
図９（ａ）は、アンテナ装置４００を動作させたときの地板４０４の電流分布について、電磁界シミュレーションを用いて中心周波数で解析した結果を示したものである。図９（ａ）に図示したように、アンテナ装置４００における地板４０４の電流経路は、複数の方向に、複数の長さの異なる電流経路をとることができる。
【００６９】
図９（ａ）に示したように、地板４０４は、複数の切欠部ｋ１７、ｋ１８（図８参照）を有するように構成することにより、切欠部ｋ１７を挟んで両側の地板４０４間に発生する電磁界結合を調整することができ、アンテナエレメント４０１と近接する位置に形成された切欠部ｋ１８によれば、地板４０４とアンテナエレメント４０１との間の距離を調整して、地板４０４とアンテナエレメント４０１間に生じるインピーダンスを調整することができる。また、地板４０４は、切欠部ｋ１７、ｋ１８により上述した複数のパターンＬ１８〜Ｌ２０の一部が所定の距離ｄ９（図８参照）だけ離隔されることにより、地板４０４に形成される電流経路の一部がループを形成しないように構成することができる。地板４０４は、このような構成を含むことにより、アンテナ電流を流してアンテナとして動作させた場合に、地板４０４に複数の方向及び長さの異なる電流経路を生じさせることが可能となる。
【００７０】
図９（ｂ）は、アンテナ装置４００のＶＳＷＲ特性をシミュレーションにより解析した結果を示す。図９（ｂ）を参照すると、現行セルラーバンドであるＧＳＭ８５０／９００の周波数帯（０．８２４〜０．８９４ＧＨｚ、０．８８〜０．９６ＧＨｚ）において、一般的に無線通信装置用アンテナとして望ましいＶＳＷＲ＜３の仕様を満足していることがわかる。図９（ｂ）に示したアンテナ装置４００のＶＳＷＲ特性と、図１７に示した従来のアンテナ装置１０のＶＳＷＲ特性とを比較すると、ＶＳＷＲ＜３の仕様を満足する帯域が広帯域化していることがわかる。
【００７１】
従って、本発明の第４の実施形態に係るアンテナ装置４００は、地板４０４を複数の方向及び長さの異なる電流経路を有する形状に形成することにより、多共振モードを発生させることが可能となり、アンテナ装置４００の構造を大きくすることなく、従来のアンテナ装置１０、２０よりもＶＳＷＲＶＳＷＲ＜３の仕様を満足する帯域を広帯域化することが可能となる。
【００７２】
（第５の実施形態）
次に、図１０及び図１１を参照して、本発明の第５の実施形態に係るアンテナ装置５００の構成について詳述する。
【００７３】
図１０は、本発明の第５の実施形態に係るアンテナ装置５００の概略構成を示す図であり、（ａ）は、アンテナ装置５００の概略構成を示す斜視図であり、（ｂ）は、アンテナ装置５００の概略構成を示す平面図である。図１１は、図１０に示したアンテナ装置５００の特性を説明するための図であり、（ａ）は、図１０に示したアンテナ装置５００の地板５０４の電流分布を示す図であり、（ｂ）は、図１０に示したアンテナ装置５００のＶＳＷＲ特性を示すグラフである。
【００７４】
図１０に図示したように、アンテナ装置５００は、アンテナエレメント５０１、給電部５０３、及び地板５０４を含む。アンテナエレメント５０１、給電部５０３、及び地板５０４は、図示したように、携帯通信端末のケースの一部である筺体５０２の内側面に配置される。アンテナエレメント５０１は、１／４λ電気長の折り返しＬ型アンテナである。以下、本発明の第５の実施形態に係るアンテナ装置５００について、第１の実施形態に係るアンテナ装置１００と同様の構成については、詳細な説明を省略する。
【００７５】
地板５０４は、図１０（ｂ）において点線で区切って図示したように、形状の異なる複数のパターンＬ２１〜Ｌ２５を組み合わせたような形状を有する。地板５０４の外形は、図１０（ｂ）に図示したように、従来のアンテナ装置１０、２０における地板１４、２４と同じサイズである縦の長さａ２＝１００ｍｍ、横の長さａ３＝５０ｍｍの矩形状であり、切欠部ｋ１９、ｋ２０を含む。切欠部ｋ１９、ｋ２０は、図示したように、矩形状や曲線を含む形状を組み合わせた形状であってもよい。切欠部ｋ１９、ｋ２０は、それぞれ所定の距離だけ離隔して形成されることにより、矩形状や曲線を含む形状を含んだ形状の複数のパターンＬ２１〜Ｌ２５が形成される。地板５０４は、図１０（ａ）に図示したように、切欠部ｋ１９が地板５０４の辺部に接して形成されることにより、複数のパターンＬ２１〜Ｌ２５の一部が所定の距離ｄ１０で離隔される。
【００７６】
図１０（ｂ）に図示したように、アンテナエレメント５０１の幅ａ１＝１０ｍｍである。従って、本発明の第５の実施形態に係るアンテナ装置５００は、上述した従来のアンテナ装置１０、２０が配置される面積と同じ面積（１１０ｍｍ×５０ｍｍ）内に形成することが可能である。
【００７７】
図１１を参照して、本発明の第５の実施形態に係るアンテナ装置５００の特性について詳述する。
【００７８】
図１１（ａ）は、アンテナ装置５００を動作させたときの地板５０４の電流分布について、電磁界シミュレーションを用いて中心周波数で解析した結果を示したものである。図１１（ａ）に図示したように、アンテナ装置５００における地板５０４の電流経路は、複数の方向に、複数の長さの異なる電流経路をとることができる。
【００７９】
図１１（ａ）に示したように、地板５０４は、複数の切欠部ｋ１９、ｋ２０（図１０参照）を有するように構成することにより、切欠部ｋ１９を挟んで両側の地板５０４間に発生する電磁界結合を調整することができ、アンテナエレメント５０１と近接する位置に形成された切欠部ｋ２０によれば、地板５０４とアンテナエレメント５０１との間の距離を調整して、地板５０４とアンテナエレメント５０１間に生じるインピーダンスを調整することができる。また、地板５０４は、切欠部ｋ１９により上述した複数のパターンＬ２１〜Ｌ２５の一部が所定の距離ｄ１０（図１０参照）だけ離隔されることにより、地板５０４に形成される電流経路の一部がループを形成しないように構成することができる。地板５０４は、このような構成を含むことにより、アンテナ電流を流してアンテナとして動作させた場合に、地板５０４に複数の方向及び長さの異なる電流経路を生じさせることが可能となる。
【００８０】
図１１（ｂ）は、アンテナ装置５００のＶＳＷＲ特性をシミュレーションにより解析した結果を示す。図１１（ｂ）を参照すると、現行セルラーバンドであるＧＳＭ８５０／９００の周波数帯（０．８２４〜０．８９４ＧＨｚ、０．８８〜０．９６ＧＨｚ）において、一般的に無線通信装置用アンテナとして望ましいＶＳＷＲ＜３の仕様を満足していることがわかる。図１１（ｂ）に示したアンテナ装置５００のＶＳＷＲ特性と、図１７に示した従来のアンテナ装置１０のＶＳＷＲ特性とを比較すると、ＶＳＷＲ＜３の仕様を満足する帯域が広帯域化していることがわかる。
【００８１】
従って、本発明の第５の実施形態に係るアンテナ装置５００は、地板５０４を複数の方向及び長さの異なる電流経路を有する形状に形成することにより、多共振モードを発生させることが可能となり、アンテナ装置５００の構造を大きくすることなく、従来のアンテナ装置１０、２０よりもＶＳＷＲ特性＜３の仕様を満足する帯域を広帯域化することが可能となる。
【００８２】
（第６の実施形態）
次に、図１２及び図１３を参照して、本発明の第６の実施形態に係るアンテナ装置６００の構成について詳述する。
【００８３】
図１２は、本発明の第６の実施形態に係るアンテナ装置６００の概略構成を示す図であり、（ａ）は、アンテナ装置６００の概略構成を示す斜視図であり、（ｂ）は、アンテナ装置６００の概略構成を示す平面図である。図１３は、図１２に示したアンテナ装置６００の特性を説明するための図であり、（ａ）は、図１２に示したアンテナ装置６００の地板６０４の電流分布を示す図であり、（ｂ）は、図１２に示したアンテナ装置６００のＶＳＷＲ特性を示すグラフである。
【００８４】
図１２に図示したように、アンテナ装置６００は、アンテナエレメント６０１、給電部６０３、及び地板６０４を含む。アンテナエレメント６０１、給電部６０３、及び地板６０４は、図示したように、携帯通信端末のケースの一部である筺体６０２の内側面に配置される。アンテナエレメント６０１は、１／４λ電気長の折り返しＬ型アンテナである。以下、本発明の第６の実施形態に係るアンテナ装置６００について、第１の実施形態に係るアンテナ装置１００と同様の構成については、詳細な説明を省略する。
【００８５】
地板６０４は、図１２（ｂ）において点線で区切って図示したように、形状の異なる複数のパターンＬ２６〜Ｌ２８を組み合わせたような形状を有する。地板６０４の外形は、図１２（ｂ）に図示したように、従来のアンテナ装置１０、２０における地板１４、２４と同じサイズである縦の長さａ２＝１００ｍｍ、横の長さａ３＝５０ｍｍの矩形状であり、切欠部ｋ２１、ｋ２２を含む。切欠部ｋ２１、ｋ２２は、図示したように、矩形状や曲線を含む形状を組み合わせた形状であってもよい。切欠部ｋ２１、ｋ２２は、それぞれ所定の距離だけ離隔して形成されることにより、矩形状や曲線を含む形状を含んだ形状の複数のパターンＬ２６〜Ｌ２８が形成される。地板６０４は、図１２（ａ）に図示したように、切欠部ｋ２１、ｋ２２が地板６０４の辺部に接して形成されることにより、複数のパターンＬ２６〜Ｌ２８の一部が所定の距離ｄ１１、ｄ１２で離隔される。
【００８６】
図１２（ｂ）に図示したように、アンテナエレメント６０１の幅ａ１＝１０ｍｍである。従って、本発明の第６の実施形態に係るアンテナ装置６００は、上述した従来のアンテナ装置１０、２０が配置される面積と同じ面積（１１０ｍｍ×５０ｍｍ）内に形成することが可能である。
【００８７】
図１３を参照して、本発明の第６の実施形態に係るアンテナ装置６００の特性について詳述する。
【００８８】
図１３（ａ）は、アンテナ装置６００を動作させたときの地板６０４の電流分布について、電磁界シミュレーションを用いて中心周波数で解析した結果を示したものである。図１３（ａ）に図示したように、アンテナ装置６００における地板６０４の電流経路は、複数の方向に、複数の長さの異なる電流経路をとることができる。
【００８９】
図１３（ａ）に示したように、地板６０４は、複数の切欠部ｋ２１、ｋ２２（図１２参照）を有するように構成することにより、切欠部ｋ２１、ｋ２２を挟んで両側の地板６０４間に発生する電磁界結合を調整することができ、アンテナエレメント６０１と近接する位置に形成された切欠部ｋ２２によれば、地板６０４とアンテナエレメント６０１との間の距離を調整して、地板６０４とアンテナエレメント６０１間に生じるインピーダンスを調整することができる。また、地板６０４は、切欠部ｋ２１、ｋ２２により上述した複数のパターンＬ２６〜Ｌ２８の一部が所定の距離ｄ１１、ｄ１２（図１２参照）だけ離隔されることにより、地板６０４に形成される電流経路の一部がループを形成しないように構成することができる。地板６０４は、このような構成を含むことにより、アンテナ電流を流してアンテナとして動作させた場合に、地板６０４に複数の方向及び長さの異なる電流経路を生じさせることが可能となる。
【００９０】
図１３（ｂ）は、アンテナ装置６００のＶＳＷＲ特性をシミュレーションにより解析した結果を示す。図１３（ｂ）を参照すると、現行セルラーバンドであるＧＳＭ８５０／９００の周波数帯（０．８２４〜０．８９４ＧＨｚ、０．８８〜０．９６ＧＨｚ）において、一般的に無線通信装置用アンテナとして望ましいＶＳＷＲ＜３の仕様を満足していることがわかる。図１３（ｂ）に示したアンテナ装置６００のＶＳＷＲ特性と、図１７に示した従来のアンテナ装置１０のＶＳＷＲ特性とを比較すると、ＶＳＷＲ＜３の仕様を満足する帯域が広帯域化していることがわかる。
【００９１】
従って、本発明の第６の実施形態に係るアンテナ装置６００は、地板６０４を複数の方向及び長さの異なる電流経路を有する形状に形成することにより、多共振モードを発生させることが可能となり、アンテナ装置６００の構造を大きくすることなく、従来のアンテナ装置１０、２０よりもＶＳＷＲ＜３の仕様を満足する帯域を広帯域化することが可能となる。
【００９２】
以上のような本発明の第１乃至６の実施形態に係るアンテナ装置１００〜６００のＶＳＷＲ特性と、従来のアンテナ装置１０、２０のＶＳＷＲ特性とを比較する比較図を、図１４に示す。図１４に図示したように、本発明の第１乃至６の実施形態に係るアンテナ装置１００〜６００はいずれも、従来のアンテナ装置１０、２０と比較して、アンテナ装置１００〜６００の構造を大きくすることなく、広帯域に良好な電気特性を得ることができることがわかる。
【符号の説明】
【００９３】
１００、２００、３００、４００、５００、６００：アンテナ装置
１０１、２０１、３０１、４０１、５０１、６０１：アンテナエレメント
１０３、２０３、３０３、４０３、５０３、６０３：給電部
１０４、２０４、３０４、４０４、５０４、６０４：地板
１０２、２０２、３０２、４０２、５０２、６０２：筺体
【図１】
2012129890.tif 000003
【図２】
2012129890.tif 000004
【図３】
2012129890.tif 000005
【図４】
2012129890.tif 000006
【図５】
2012129890.tif 000007
【図６】
2012129890.tif 000008
【図７】
2012129890.tif 000009
【図８】
2012129890.tif 000010
【図９】
2012129890.tif 000011
【図１０】
2012129890.tif 000012
【図１１】
2012129890.tif 000013
【図１２】
2012129890.tif 000014
【図１３】
2012129890.tif 000015
【図１４】
2012129890.tif 000016
【図１５】
2012129890.tif 000017
【図１６】
2012129890.tif 000018
【図１７】
2012129890.tif 000019